(57)【要約】【課題】エレベータのリニューアルに係るコストの増大を防止できるリニューアルシステム、及び、エレベータ装置を提供すること。【解決手段】実施形態によれば、リニューアルシステムは、乗りかごと、釣合錘と、機械室に設置された巻上機と、前記巻上機に設けられたメインシーブと、前記機械室に設けられたそらせシーブと、前記乗りかご及び前記釣合錘に固定されるとともに前記メインシーブ及び前記そらせシーブに巻き掛けられた鋼線ロープと、を具備したエレベータ装置に用いられる。前記リニューアルシステムは、前記鋼線ロープに置き換えられる樹脂被覆ロープと、前記メインシーブよりも小径であり、前記樹脂被覆ロープが、前記メインシーブに対する前記鋼線ロープの巻き付け角度よりも小さな巻きつけ角度で巻き掛けられる、前記メインシーブに置き換えられるリニューアルシステム用メインシーブと、を備える。【選択図】      図３
2018165193.tif 000002
【特許請求の範囲】
【請求項１】
昇降路内に配置された乗りかごと、
前記昇降路に配置された釣合錘と、
前記昇降路の上方に形成された機械室に設置された巻上機と、
前記巻上機に設けられたメインシーブと、
前記機械室に設けられたそらせシーブと、
前記乗りかご及び前記釣合錘に固定されるとともに前記メインシーブ及び前記そらせシーブに巻き掛けられた鋼線ロープと、
を具備したエレベータ装置に用いられるリニューアルシステムであって、
前記鋼線ロープに置き換えられる樹脂被覆ロープと、
前記メインシーブよりも小径であり、前記樹脂被覆ロープが、前記メインシーブに対する前記鋼線ロープの巻き付け角度よりも小さな巻きつけ角度で巻き掛けられる、前記メインシーブに置き換えられるリニューアルシステム用メインシーブと、
を具備したリニューアルシステム。
【請求項２】
前記リニューアルシステム用メインシーブに対する前記樹脂被覆ロープの巻き付け角度は、８５度以上であり９５度以下の範囲に設定される請求項１に記載のリニューアルシステム。
【請求項３】
前記リニューアルシステム用メインシーブに対する前記樹脂被覆ロープの巻き付け角度は、９０度以上に設定される請求項２に記載のリニューアルシステム。
【請求項４】
前記巻上機よりも小型であり、前記巻上機に置き換えられるリニューアルシステム用巻上機を具備する請求項１に記載のリニューアルシステム。
【請求項５】
昇降路内に配置された乗りかごと、
前記昇降路に配置された釣合錘と、
前記昇降路の上方に形成された機械室に設置された巻上機と、
前記巻上機に設けられたメインシーブと、
前記機械室に設けられたそらせシーブと、
前記乗りかご及び前記釣合錘に固定されるとともに前記メインシーブ及び前記そらせシーブに巻き掛けられ、前記メインシーブに対する巻き付け角度が８５度以上であり９５度以下の範囲に設定された樹脂被覆ロープと、
を具備したエレベータ装置。
【発明の詳細な説明】
【技術分野】
【０００１】
本発明の実施形態は、リニューアルシステム、及び、このリニューアルシステムによりリニューアルされたエレベータ装置に関する。
【背景技術】
【０００２】
建物に設けられ、異なるフロア間で人や荷物を搬送する乗りかごを有するエレベータ装置が知られている。このようなエレベータ装置として、建物内の昇降路内に配置された乗りかご及び釣り合い錘のそれぞれに接続されたロープを、昇降路の上方に設けられた機械室内に設置された巻上機により駆動するエレベータが知られている
ロープは、巻上機に設けられたメインシーブ及び機械室内に設けられたそらせシーブに巻き掛けられており、巻上機によりメインシーブが回転されることにより駆動される。機械室の床には、昇降路及び機械室を連通し、メインシーブから垂下するロープを配置する孔と、昇降路及び機械室を連通し、そらせシーブから垂下するロープを配置する孔と、が形成されている。
【０００３】
このようなエレベータ装置では、その構成の一部を改修するリニューアルが行われる。リニューアルとしては、複数の乗りかごを有するエレベータ装置の場合では、制御盤を、複数の乗りかごの効率の良い運転を可能とするソフトウェアを有する制御盤に交換するリニューアルがある。また、リニューアルとして、乗りかごや釣合錘は既存のものをそのまま利用し、メインシーブ等の他の部品を交換するリニューアルもある。
【先行技術文献】
【特許文献】
【０００４】
【特許文献１】特開平２００４−１９６４６９号公報
【発明の概要】
【発明が解決しようとする課題】
【０００５】
メインシーブを交換するリニューアルでは、メインシーブを、従前に対して径の小さいメインシーブに交換する場合がある。メインシーブをより小径にすることにより、製造コストの低いメインシーブを採用することができる。
【０００６】
しかしながら、径の小さいメインシーブに交換する場合では、ロープ及び交換されたメインシーブの間に十分なトラクションを得る為に、メインシーブに対するロープの巻き付け角度を大きくする必要がある。この場合、メインシーブの位置を、従前のメインシーブの位置に対して高くすることにより、ロープの巻き付け角度をより大きくすることが考えられるが、機械室の高さ方向の制約により巻き付け角度に制限が生じ、必要なトラクションが得られない虞があるという問題がある。
【０００７】
または、メインシーブを水平方向に移動することにより、メインシーブに対するロープの巻き付け角度を大きくすることも考えられるが、メインシーブから垂下するロープの位置が、従前のメインシーブから垂下するロープの位置から変更される為、機械室の床に、ロープを通す孔を新たに形成する必要が生じる。機械室の床に新たに孔を形成する工事により、費用が増大する。結果、リニューアルに係るコストが増大する虞があるという問題がある。
【０００８】
また、メインシーブを交換するリニューアルでは、従前に対して径の大きなシーブに交換するリニューアルがあるが、機械室内のスペースの制約により、メインシーブの設置位置に制約が生じ、結果、床に形成された既存の孔を利用できない場合がある。この場合でも、機械室の床に孔を新たに形成する工事により、費用が増大する。結果、リニューアルに係るコストが増大するという問題がある。
【０００９】
本発明が解決しようとする課題は、メインシーブを交換するリニューアルであっても、メインシーブとロープとの間に必要なトラクションが得られ、かつ、リニューアルに係るコストの増大を防止できるリニューアルシステム、及び、エレベータ装置を提供することである。
【課題を解決するための手段】
【００１０】
実施形態によれば、リニューアルシステムは、昇降路内に配置された乗りかごと、前記昇降路に配置された釣合錘と、前記昇降路の上方に形成された機械室に設置された巻上機と、前記巻上機に設けられたメインシーブと、前記機械室に設けられたそらせシーブと、前記乗りかご及び前記釣合錘に固定されるとともに前記メインシーブ及び前記そらせシーブに巻き掛けられた鋼線ロープと、を具備したエレベータ装置に用いられる。前記リニューアルシステムは、前記鋼線ロープに置き換えられる樹脂被覆ロープと、前記メインシーブよりも小径であり、前記樹脂被覆ロープが、前記メインシーブに対する前記鋼線ロープの巻き付け角度よりも小さな巻きつけ角度で巻き掛けられる、前記メインシーブに置き換えられるリニューアルシステム用メインシーブと、を備える。
【図面の簡単な説明】
【００１１】
【図１】一実施形態に係るエレベータ装置の構成を一部断面で示す側面図。
【図２】同エレベータ装置のリニューアル用メインシーブ、そらせシーブ、及び、樹脂被覆ロープの一部を示す概略図。
【図３】リニューアルシステムによりリニューアルされる前のエレベータ装置の構成を一部断面で示す側面図。
【図４】同エレベータ装置のメインシーブ、そらせシーブ、及び、鋼線ロープの一部を示す概略図。
【図５】同エレベータ装置の変形例のメインシーブ、そらせシーブ、及び、鋼線ロープの一部を示す概略図。
【発明を実施するための形態】
【００１２】
本発明の一実施形態に係るリニューアルシステム１、及び、リニューアルシステム１によりリニューアルされたエレベータ装置１０を、図１乃至図４を用いて説明する。リニューアルシステム１は、エレベータ装置１０Ａのリニューアルに用いられる。エレベータ装置１０は、エレベータ装置１０Ａをリニューアルシステム１によりリニューアルしたエレベータ装置である。エレベータ装置１０，１０Ａは、人や荷物等の搬送物を、建物のフロア間で搬送可能に構成されている。
【００１３】
図１は、エレベータ装置１０の構成を一部断面で示す側面図である。図２は、エレベータ装置１０のリニューアル用メインシーブ６１、そらせシーブ５２、及び、樹脂被覆ロープ３６の一部を示す概略図である。図３は、エレベータ装置１０Ａの構成を一部断面で示す側面図である。図４は、エレベータ装置１０Ａのメインシーブ５１、そらせシーブ５２、及び、鋼線ロープ３５の一部を示す概略図である。
【００１４】
まず、エレベータ装置１０Ａについて、説明する。エレベータ装置１０Ａは、図３に示すように、建物の昇降路１１内に配置された乗りかご２０と、昇降路１１内に配置された釣合錘３０と、昇降路１１の上方に形成された機械室４０に設置された巻上機５０と、巻上機５０に設けられたメインシーブ５１と、機械室４０に回転可能に設けられたそらせシーブ５２と、リニューアル用メインシーブ６１及びそらせシーブ５２に巻き掛けられた鋼線ロープ３５と、を有している。エレベータ装置１０Ａは、鋼線ロープ３５が、１：１ローピング方式により、乗りかご２０及び釣合錘３０に接続されている。
【００１５】
乗りかご２０は、人や荷物をその内部に収容可能に形成されている。乗りかご２０は、開閉可能な扉が形成された箱状に形成されている。乗りかご２０は、昇降路１１内に設けられたガイドレール等の案内装置により、昇降路１１内をスムーズに昇降される。乗りかご２０は、建物の各フロアに形成されたホームドアから人や荷物が乗降される。
【００１６】
釣合錘３０は、昇降路１１内において、水平方向に乗りかご２０に対して離間して配置されている。釣合錘３０は、ガイドレール等の案内装置により、昇降路１１内をスムーズに昇降される。
巻上機５０は、機械室４０において、乗りかご２０の上方に配置されている。巻上機５０は、メインシーブ５１をその回転軸回りの両方向に回転可能に形成されている。巻上機５０は、例えば、電動モータ及び減速機等から構成されている。また、巻上機５０は、メインシーブ５１に対する鋼線ロープ３５の巻き付け角度が、後述する所定の巻き付け角度となる位置に、配置されている。
【００１７】
このような巻上機５０は、機械室４０の床４１に直接的または間接的に固定されている。巻上機５０は、本実施形態では、一例として、複数のマシンビーム４２、複数の支持部材４３、マシンベース４４、及びマシンベッド４５を介することにより、床４１に間接的に固定されている。
【００１８】
メインシーブ５１は、巻上機５０の出力軸に一体に固定されており、巻上機５０により、乗りかご２０を上昇させる方向、及び、乗りかご２０を下降させる方向に回転される。メインシーブ５１の回転軸は、水平方向に平行に配置されている。メインシーブ５１は、その外周面に、内部に鋼線ロープ３５を配置する環状の溝が形成されている。この溝は、外周面を径方向内側に窪ませることにより形成されている。溝は、例えば断面Ｕ字状に形成されている。メインシーブ５１のシーブ径は、例えば３２０ｍｍより大きい。シーブ径は、メインシーブ５１に巻き掛けられた鋼線ロープ３５の中心間の、メインシーブ５１の中心を通る直線に沿う距離であり、所謂ロープ中心径である。
【００１９】
メインシーブ５１は、鋼線ロープ３５が所定の巻き付け角度で巻き付けられる位置に配置されている。本実施形態では、図４に示すように、メインシーブ５１は、鋼線ロープ３５との間に必要なトラクションを得る為に、鋼線ロープ３５の巻き付け角度αが例えば１２０度となる位置に配置されている。
【００２０】
なお、メインシーブ５１に対する鋼線ロープ３５の巻き付け角度とは、メインシーブ５１において鋼線ロープ３５が接触する部分の、メインシーブ５１の回転中心線回りの角度範囲である。必要なトラクションとは、メインシーブ５１に対して鋼線ロープ３５が滑らず、乗りかご２０を安全に昇降する為に必要なトラクションである。
【００２１】
そらせシーブ５２は、図３に示すように、機械室４０において、釣合錘３０に上方に配置されている。また、そらせシーブ５２は、機械室４０の床４１に回転可能に支持されている。そらせシーブ５２の回転中心線は、メインシーブ５１と平行に配置されている。そらせシーブ５２は、鋼線ロープ３５を、メインシーブ５１側に屈曲可能に形成されている。そらせシーブ５２の外周面には、鋼線ロープ３５を収容する環状の溝が形成されている。
【００２２】
鋼線ロープ３５は、鋼線から形成されている。鋼線ロープ３５の径は、例えば、８ｍｍである。機械室４０の床４１には、鋼線ロープ３５においてリニューアル用メインシーブ６１及び乗りかご２０の間の部分となるリニューアル用メインシーブ６１から垂下する鋼線ロープ３５が通る孔４１ａと、鋼線ロープ３５においてそらせシーブ５２及び釣合錘３０の間の部分となるそらせシーブ５２から垂下する鋼線ロープ３５が通る孔４１ｂと、が形成されている孔４１ａ，４１ｂは、機械室４０と昇降路１１とを連通している。
【００２３】
リニューアルシステム１について、説明する。リニューアルシステム１は、図１及び図２に示すように、鋼線ロープ３５に対して置き換えられる樹脂被覆ロープ３６、巻上機５０に対して置き換えられるリニューアル用巻上機６０、及び、メインシーブ５１に対して置き換えられる、メインシーブ５１よりも小径なリニューアル用メインシーブ６１を有している。
【００２４】
次に、エレベータ装置１０について、説明する。エレベータ装置１０は、図１及び図２に示すように、乗りかご２０と、釣合錘３０と、リニューアル用巻上機６０と、リニューアル用巻上機６０に設けられたリニューアル用メインシーブ６１と、そらせシーブ５２と、リニューアル用メインシーブ６１及びそらせシーブ５２に巻き掛けられた樹脂被覆ロープ３６と、を有している。エレベータ装置１０は、樹脂被覆ロープ３６が、１：１ローピング方式により、乗りかご２０及び釣合錘３０に接続されている。
【００２５】
リニューアル用巻上機６０は、電動モータである。リニューアル用巻上機６０は、機械室４０において、乗りかご２０上方に設置されている。リニューアル用巻上機６０は、リニューアル用メインシーブ６１がメインシーブ５１よりも小径であることから、その出力軸が巻上機５０の出力軸よりも小径である、小型の巻上機である。
【００２６】
また、リニューアル用巻上機６０は、リニューアル用メインシーブ６１に対する樹脂被覆ロープ３６の巻き付け角度が、後述する所定の巻き付け角度に設定され、かつ、樹脂被覆ロープ３６においてリニューアル用メインシーブ６１及び乗りかご２０の間の部分となるリニューアル用メインシーブ６１から垂下された樹脂被覆ロープ３６が、孔４１ａを通る位置に配置されている。
【００２７】
リニューアル用巻上機６０は、機械室４０の床４１に直接的または間接的に設置されている。リニューアル用巻上機６０は、本実施形態では、一例として、マシンビーム４２、複数の支持部材４３、及び、マシンベース４４により、床４１に間接的に設置されている。
【００２８】
リニューアル用メインシーブ６１は、リニューアル用巻上機６０の出力軸に固定されており、リニューアル用巻上機６０により、乗りかご２０を上昇する方向及び乗りかご２０を下降させる方向に回転される。リニューアル用メインシーブ６１の回転中心線は、そらせシーブ５２の回転中心線と平行である。
【００２９】
リニューアル用メインシーブ６１は、その外周面に、内部に樹脂被覆ロープ３６を配置する環状の溝が形成されている。この溝は、リニューアル用メインシーブ６１の外周面を径方向内側に窪ませた形状を有している。この溝は、例えば、断面Ｕ字状に形成されている。リニューアル用メインシーブ６１のシーブ径は、メインシーブ５１のシーブ径よりも小さい。リニューアル用メインシーブ６１のシーブ径は、３２０ｍｍ以下であり、例えば２００ｍｍである。なお、リニューアル用メインシーブ６１のシーブ径は、リニューアル用メインシーブ６１に巻き掛けられた樹脂被覆ロープ３６の中心間の、リニューアル用メインシーブ６１の中心を通る直線に沿う距離であり、所謂ロープ中心径である。
【００３０】
リニューアル用メインシーブ６１は、リニューアル用メインシーブ６１に対する樹脂被覆ロープ３６の巻き付け角度が、メインシーブ５１に対する鋼線ロープ３５の巻き付け角度よりも小さい角度となる位置に、配置されている。なお、リニューアル用メインシーブ６１に対する樹脂被覆ロープ３６の巻き付け角度βは、図２に示すように、リニューアル用メインシーブ６１において樹脂被覆ロープ３６が接触する部分の、リニューアル用メインシーブ６１の回転中心線回りの角度範囲である。
【００３１】
リニューアル用メインシーブ６１に対する樹脂被覆ロープ３６の巻き付け角度は、８５度以上でありかつ９５度以下の範囲に設定される。さらに好ましくは、リニューアル用メインシーブ６１に対する樹脂被覆ロープ３６の巻き付け角度は、９０度以上でありかつ９５以下の範囲に設定されている。本実施形態では、リニューアル用メインシーブ６１に対する樹脂被覆ロープ３６の巻き付け角度は、一例として９０度である。なお、図２において巻き付け角度βが８５度であるリニューアル用メインシーブ６１を、リニューアル用メインシーブ６１Ａとして２点鎖線で示している。また、巻き付け角度βが９５度であるリニューアル用メインシーブ６１を、リニューアル用メインシーブ６１Ｂとして２点鎖線で示している。
【００３２】
樹脂被覆ロープ３６は、その内部に配置された鋼線ロープ、及び、この鋼線ロープに被覆され、外周部を形成するウレタン等の樹脂から形成された樹脂部を有している。樹脂被覆ロープ３６は、例えば、外径が８ｍｍである。樹脂被覆ロープ３６は、その外周部がリニューアル用メインシーブ６１との間に接触する。樹脂被覆ロープ３６の外周部がリニューアル用メインシーブ６１に接触する。樹脂被覆ロープ３６のトラクション性能は、鋼線ロープ３５に対して、３倍以上である。
【００３３】
この為、リニューアル用メインシーブ６１のシーブ径をメインシーブ５１よりも小径とし、かつ、リニューアル用メインシーブ６１に対する樹脂被覆ロープ３６の巻き付け角度を、メインシーブ５１に対する鋼線ロープ３５の巻き付け角度よりも小さくしても、リニューアル用メインシーブ６１と樹脂被覆ロープ３６との間に、乗りかご２０の昇降に必要なトラクションを得ることができる。
【００３４】
上述した、リニューアル用メインシーブ６１に対する樹脂被覆ロープ３６の巻き付け角度の範囲の下限値である８５度は、乗りかご２０の安全な昇降に必要なトラクションが得られる値である。
【００３５】
このように構成されたリニューアルシステム１では、樹脂被覆ロープ３６、及び、リニューアル用メインシーブ６１を有することにより、乗りかご２０の昇降に必要なトラクションを得つつ、リニューアル用メインシーブ６１及びリニューアル用巻上機６０の一体物を、メインシーブ５１及び巻上機５０の一体物に対して小型にできるので、機械室４０内での、リニューアル用メインシーブ６１及びリニューアル用巻上機６０の一体物の配置の自由度を向上できる。この為、リニューアル用メインシーブ６１及びリニューアル用巻上機６０の一体物を、リニューアル用メインシーブ６１から垂下する樹脂被覆ロープ３６が既存の孔４１ａを通る位置に配置することにより既存の孔４１ａを利用できる。さらに、製造コストの安いシーブをリニューアル用メインシーブ６１として採用できる。エレベータ装置１０Ａのリニューアルに係るコストの増大を防止できる。
【００３６】
このように、リニューアルシステム１によれば、メインシーブを交換するリニューアルであっても、メインシーブとロープとの間に必要なトラクションが得られ、かつ、リニューアルに係るコストの増大を防止できる。
【００３７】
さらに、リニューアル用巻上機６０及びリニューアル用メインシーブ６１の一体物の高さ方向の大きさを小さくできるので、機械室４０内での、メンテナンス等の作業スペースを広くすることができる。
【００３８】
さらに、リニューアル用メインシーブ６１を採用することにより、巻上機５０よりも小型のリニューアル用巻上機６０を採用できるので、エレベータ装置１０Ａのリニューアルに係るコストの増大を防止できる。
【００３９】
さらに、リニューアル用メインシーブ６１に対する樹脂被覆ロープ２６の巻き付け角度を８５度以上でありかつ９５以下の範囲に設定することにより、樹脂被覆ロープ３６においてそらせシーブ５２及びリニューアル用メインシーブ６１の間の部分の長さを短くできる。この為、樹脂被覆ロープ３６の全長を短くできるので、樹脂被覆ロープ３６の点検作業を短くできる。
【００４０】
なお、本実施形態では、リニューアル用メインシーブ６１に対する鋼線ロープ３５の巻き付け角度が９５度より大きいエレベータ装置１０Ａに対してリニューアルシステム１によりリニューアルを施すことにより、エレベータ装置１０が得られた。しかしながら、これに限定されない。例えば、図５に示すエレベータ装置１０Ａの変形例であるエレベータ装置１０Ｂのように、メインシーブ５１に対する鋼線ロープ３５の巻き付け角度αが９０度であるエレベータ装置１０Ｂに対してリニューアルシステム１によりリニューアルを施してエレベータ装置１０を得てもよい。
【００４１】
また、本実施形態では、そらせシーブ５２は、エレベータ装置１０Ａ，１０に共通して用いられたが、これに限定されない。他の例では、エレベータ装置１０Ａからエレベータ装置１０へのリニューアルの際に、そらせシーブ５２より小径なそらせシーブが用いられてもよい。この例としては、そらせシーブとして、メインシーブ５１と同径のそらせシーブが用いられてもよい。換言すると、リニューアルシステム１が、さらに、そらせシーブ５２に対して置き換えられる、そらせシーブ５２によりも小径なそらせシーブを有してもよい。
【００４２】
また、本実施形態では、リニューアルシステム１は、リニューアル用巻上機６０を有しているが、これに限定されない。巻上機５０が交換の必要のない状態である場合は、巻上機５０は、リニューアル時に交換されずにその後もそのまま使用されてもよい。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１０…エレベータ装置、１０Ａ…エレベータ装置、１１…昇降路、２０…乗りかご、３０…釣合錘、３５…鋼線ロープ、３６…樹脂被覆ロープ、４０…機械室、５０…巻上機、５１…メインシーブ、５２…そらせシーブ、６０…リニューアル用巻上機、６１…リニューアル用メインシーブ。
【図１】
2018165193.tif 000003
【図２】
2018165193.tif 000004
【図３】
2018165193.tif 000005
【図４】
2018165193.tif 000006
【図５】
2018165193.tif 000007
【手続補正書】
【提出日】平成30年1月12日(2018.1.12)
【手続補正１】
【補正対象書類名】明細書
【補正対象項目名】００１４
【補正方法】変更
【補正の内容】
【００１４】
まず、エレベータ装置１０Ａについて、説明する。エレベータ装置１０Ａは、図３に示すように、建物の昇降路１１内に配置された乗りかご２０と、昇降路１１内に配置された釣合錘３０と、昇降路１１の上方に形成された機械室４０に設置された巻上機５０と、巻上機５０に設けられたメインシーブ５１と、機械室４０に回転可能に設けられたそらせシーブ５２と、メインシーブ５１及びそらせシーブ５２に巻き掛けられた鋼線ロープ３５と、を有している。エレベータ装置１０Ａは、鋼線ロープ３５が、１：１ローピング方式により、乗りかご２０及び釣合錘３０に接続されている。
【手続補正２】
【補正対象書類名】明細書
【補正対象項目名】００２２
【補正方法】変更
【補正の内容】
【００２２】
鋼線ロープ３５は、鋼線から形成されている。鋼線ロープ３５の径は、例えば、８ｍｍである。機械室４０の床４１には、鋼線ロープ３５においてメインシーブ５１及び乗りかご２０の間の部分となるメインシーブ５１から垂下する鋼線ロープ３５が通る孔４１ａと、鋼線ロープ３５においてそらせシーブ５２及び釣合錘３０の間の部分となるそらせシーブ５２から垂下する鋼線ロープ３５が通る孔４１ｂと、が形成されている。孔４１ａ，４１ｂは、機械室４０と昇降路１１とを連通している。
【手続補正３】
【補正対象書類名】明細書
【補正対象項目名】００４０
【補正方法】変更
【補正の内容】
【００４０】
なお、本実施形態では、メインシーブ５１に対する鋼線ロープ３５の巻き付け角度が９５度より大きいエレベータ装置１０Ａに対してリニューアルシステム１によりリニューアルを施すことにより、エレベータ装置１０が得られた。しかしながら、これに限定されない。例えば、図５に示すエレベータ装置１０Ａの変形例であるエレベータ装置１０Ｂのように、メインシーブ５１に対する鋼線ロープ３５の巻き付け角度αが９０度であるエレベータ装置１０Ｂに対してリニューアルシステム１によりリニューアルを施してエレベータ装置１０を得てもよい。
【手続補正４】
【補正対象書類名】明細書
【補正対象項目名】００４１
【補正方法】変更
【補正の内容】
【００４１】
また、本実施形態では、そらせシーブ５２は、エレベータ装置１０Ａ，１０に共通して用いられたが、これに限定されない。他の例では、エレベータ装置１０Ａからエレベータ装置１０へのリニューアルの際に、そらせシーブ５２より小径なそらせシーブが用いられてもよい。この例としては、そらせシーブとして、リニューアル用メインシーブ６１と同径のそらせシーブが用いられてもよい。換言すると、リニューアルシステム１が、さらに、そらせシーブ５２に対して置き換えられる、そらせシーブ５２によりも小径なそらせシーブを有してもよい。